(57)【特許請求の範囲】
【請求項１】
上端縁に差し込みフラップが折り目を介して連設された上面部の下端縁に、背面部、底面部、正面部、正面側折り返し部、正面側支持部、正面側隔壁部、糊代、背面側隔壁部、背面側支持部および背面側折り返し部が順に折り目を介して連設されるとともに、背面部の左右各端縁に、上端縁にフラップが折り目を介して連設された側面部が折り目を介してそれぞれ連設され、また、正面部の左右各端縁に側部糊代が折り目を介して連設されてなり、正面側支持部および背面側支持部にそれぞれ容器の外径に対応する内径の複数個の支持穴が形成され、また、これらの各支持穴に対応して正面側隔壁部および背面側隔壁部にそれぞれ略半楕円状の側端縁とそれらの下端を結ぶ底端縁からなる略馬蹄形状の複数個の保持穴がその底端縁を糊代との折り目から距離をおいて形成され、背面側折り返し部が背面部に、正面側折り返し部が正面部にそれぞれ貼着されるとともに、糊代が底面部に貼着されて底面部に対して背面部および正面部がそれぞれ立ち上げられた際、水平に延設された正面側支持部および背面側支持部に対して正面側隔壁部および背面側隔壁部がそれぞれ鋭角をなして下方に向かって延設され、各支持穴に挿入された容器が当該支持穴とともに対応する保持穴によって底面を底面部から離隔して保持されることを特徴とする包装容器。
【請求項２】
請求項１記載の包装容器において、前記正面側隔壁部および背面側隔壁部における各保持穴の底端縁にそれぞれ折り目を介して支持片が連設されることを特徴とする包装容器。
【請求項３】
請求項１記載の包装容器において、前記正面側折り返し部および背面側折り返し部が各支持穴の内方に突出する緩衝片を一体に備えることを特徴とする包装容器。
【請求項４】
請求項１乃至３のいずれか一つに記載の包装容器において、前記正面側折り返し部に正面部との折り目を始点としてコ字状の切れ目が形成されるとともに、該コ字状の切れ目を始点として正面部にコ字状の切り裂き目が形成されることを特徴とする包装容器。
【請求項５】
請求項１乃至３のいずれか一つに記載の包装容器において、対向する正面側支持部および背面側支持部の端縁間に添付文書が配置されることを特徴とする包装容器。
【発明の詳細な説明】
【技術分野】
【０００１】
本発明は、バイアル瓶などの容器を収納し、輸送する際に使用する包装容器に関するものである。
【背景技術】
【０００２】
一般に、バイアル瓶などの容器を収納し、輸送する際に使用する包装容器は、容器同士が接触しないように複数個の保持穴を間隔をおいて形成したトレー型のホルダーと、このホルダーが収容される箱体とによって構成されており、容器がホルダーの各保持穴に保持され、容器を保持したホルダーが箱体内に収容されるようになっている（例えば、特許文献１参照）。
【特許文献１】特開２００２−５３１２４号公報
【発明の開示】
【発明が解決しようとする課題】
【０００３】
このような収納容器は、箱体とホルダーとが別々に製造されるため、製造コストがかさむだけでなく、容器をホルダーの各保持穴に収納した後に、容器を収納したホルダーを箱体内に収容しなければならず、容器の収納作業に手間を要するという問題がある。また、容器はその胴部上方がホルダーの対向する支持穴に保持されていることから、各列毎にホルダーが必要となり、コストがかさむという問題がある。
【０００４】
本発明は、このような問題に鑑みてなされたもので、隣接するバイアル瓶などの容器が接触などによって破損することを防止できる安価な包装容器を提供するものである。
【課題を解決するための手段】
【０００５】
本発明は、上端縁に差し込みフラップが折り目を介して連設された上面部の下端縁に、背面部、底面部、正面部、正面側折り返し部、正面側支持部、正面側隔壁部、糊代、背面側隔壁部、背面側支持部および背面側折り返し部が順に折り目を介して連設されるとともに、背面部の左右各端縁に、上端縁にフラップが折り目を介して連設された側面部が折り目を介してそれぞれ連設され、また、正面部の左右各端縁に側部糊代が折り目を介して連設されてなり、正面側支持部および背面側支持部にそれぞれ容器の外径に対応する内径の複数個の支持穴が形成され、また、これらの各支持穴に対応して正面側隔壁部および背面側隔壁部にそれぞれ略半楕円状の側端縁とそれらの下端を結ぶ底端縁からなる略馬蹄形状の複数個の保持穴がその底端縁を糊代との折り目から距離をおいて形成され、背面側折り返し部が背面部に、正面側折り返し部が正面部にそれぞれ貼着されるとともに、糊代が底面部に貼着されて底面部に対して背面部および正面部がそれぞれ立ち上げられた際、水平に延設された正面側支持部および背面側支持部に対して正面側隔壁部および背面側隔壁部がそれぞれ鋭角をなして下方に向かって延設され、各支持穴に挿入された容器が当該支持穴とともに対応する保持穴によって底面を底面部から離隔して保持されることを特徴とするものである。
【０００６】
本発明によれば、正面側折り返し部、糊代、背面側折り返し部に接着剤を塗布した後、正面部に対して正面側折り返し部を折り込み、正面側折り返し部を正面部に、糊代を底面部に、背面側折り返し部を背面部にそれぞれ貼着し、その後、底面部に対して背面部および正面部をそれぞれ折り込んで立ち上げる。次いで、左右の側部糊代にそれぞれ接着剤を塗布して正面部に対して折り込むとともに、左右の側面部をそれぞれ背面部に対して折り込み、それぞれ側部糊代に貼着する。これにより、背面部と、底面部と、正面部と、左右の側面部によって上面を開口した直方体状の包装容器が形成される。そして、包装容器の内部において、水平な正面側支持部および背面側支持部がそれぞれ延設されるとともに、正面側隔壁部が正面側支持部と鋭角をなして下方に向かって延設され、また、背面側隔壁部が背面側支持部と鋭角をなして下方に向かって延設される。次いで、正面側支持部の各支持穴および背面側支持部の各支持穴にそれぞれ容器を挿入した後、左右の側面部に対してフラップを折り込むとともに、上面部に対して差し込みフラップを折り込み、さらに、上面部を背面部に対して折り込んで差し込みフラップを正面部に沿うように差し込むことにより、容器を収納した包装容器を形成することができる。
【０００７】
この場合、正面側支持部の各支持穴および背面側支持部の各支持穴にそれぞれ挿入された容器は、合わせて各支持穴にそれぞれ対応する正面側隔壁部の各保持穴および背面側隔壁部の各保持穴に保持される。すなわち、容器は、その胴部の上方が支持穴周縁に保持されるとともに、底面が底面部から距離をおいて保持穴の底端縁に支持されて、胴部の下方が保持穴の略半楕円状の側端縁に挾持される。
【０００８】
一方、容器を必要とする場合は、差し込みフラップを介して上面部を引き上げることにより、上面が開口されることから、任意の容器を摘んで引き上げることができる。
【０００９】
この結果、台紙を打ち抜き、折り目に沿って折り込むとともに、糊代を貼着して包装容器を組み立てることができることから、箱体とホルダーとを別個に製造する場合に比較してコストを大幅に削減することができる。また、容器は、その胴部上方が支持部の支持穴周縁に保持されるとともに、胴部下方が保持穴の略半楕円状の側端縁に挾持されることから、容器の移動が阻止されて接触に伴う破損を確実に防止することができる。また、容器の底面が底面部から離隔して支持されるため、落下した際に底面部を経て容器の底面に衝撃が作用することがなく、落下に伴う破損についても可及的に防止することができる。
【００１０】
本発明において、前記正面側隔壁部および背面側隔壁部における各保持穴の底端縁にそれぞれ折り目を介して支持片が連設されることが好ましい。これにより、容器の底面を支持片によって安定的に支持することができるとともに、緩衝効果をより高めることができる。
【００１１】
本発明において、前記正面側折り返し部および背面側折り返し部が各支持穴の内方に突出する緩衝片を一体に備えることが好ましい。これにより、容器の胴部は、正面部および正面側折り返し部に連続する緩衝片あるいは背面部および背面側折り返し部に連続する緩衝片の二重壁によって支持されるため、緩衝効果を高めることができる。
【００１２】
本発明において、前記正面側折り返し部に正面部との折り目を始点としてコ字状の切れ目が形成されるとともに、該コ字状の切れ目を始点として正面部にコ字状の切り裂き目が形成されることが好ましい。これにより、包装容器が開放されたことを切り裂き目が切り裂かれたことによって把握することができる。
【００１３】
本発明において、対向する正面側支持部および背面側支持部の端縁間に添付文書が配置されることが好ましい。これにより、正面側支持部の支持穴に挿入された容器および背面側支持部の支持穴に挿入された容器は、添付文書を緩衝材として支持されることから、正面側および背面側にそれぞれ対向して配置された容器が接触して破損するのを防止することができる。
【発明の効果】
【００１４】
本発明によれば、隣接するバイアル瓶などの容器が接触などによって破損することを防止できるとともに、安価に製造することができる。
【発明を実施するための最良の形態】
【００１５】
以下、本発明の実施の形態を図面に基づいて詳細に説明する。
【００１６】
図１および図２には、本発明の包装容器１の一実施形態が示されている。
【００１７】
この包装容器１は、バイアル瓶Ｂ（図２参照）を収納するものであり、コートボールを図３に示す展開図にしたがって打ち抜いた後、折り目に沿って折り込むとともに、所定部分を貼着して組み立てられる。そして、包装容器１に設定個数のバイアル瓶Ｂを収納した後、輸送される。
【００１８】
包装容器１は、図３の展開図において、上面部２の下端縁に、背面部３、底面部４、正面部５、正面側折り返し部６、正面側支持部７、正面側隔壁部８、糊代９、背面側隔壁部１０、背面側支持部１１、背面側折り返し部１２が順に折り目ａ，ｂ，ｃ，ｄ，ｅ，ｆ，ｇ，ｈ，ｉ，ｊを介して連設されるとともに、上面部２の上端縁に折り目ｋを介して差し込みフラップ１３が連設され、また、背面部３の左右各端縁に、上端縁にフラップ１４が折り目ｍを介して連設された左右の側面部１５が折り目ｎを介してそれぞれ連設される一方、正面部５の左右各端縁に側部糊代１６が折り目ｐを介してそれぞれ連設され、さらに、底面部４の左右各端縁にガイド片１７が折り目ｑを介してそれぞれ連設されて構成されている。
【００１９】
そして、正面側支持部７および背面側支持部１１には、バイアル瓶Ｂの胴部の外径に対応する直径の複数個、例えば、５個の支持穴７ａ，１１ａが左右方向に等しい間隔をあけて形成されている。
【００２０】
また、正面側隔壁部８および背面側隔壁部１０には、前述した支持穴７ａ，１１ａにそれぞれ対応して、バイアル瓶Ｂの胴部を軸線に対して傾斜する平面で切断した外周面形状に相当する略半楕円状の側端縁とそれらの先端を結ぶ底端縁からなる略馬蹄形状の複数個（５個）の保持穴８ａ，１０ａが、その底端縁を糊代９との折り目ｇ，ｈからそれぞれ一定距離をおいて形成されている。
【００２１】
さらに、正面側隔壁部８における保持穴８ａの底端縁および背面側隔壁部１０における保持穴１０ａの底端縁には、それぞれ折り目ｒを介して支持片１８が連設されている。
【００２２】
さらにまた、正面側折り返し部６には、正面部５との折り目ｄを始点としてコ字状の切れ目ｓが形成されるとともに、正面部５には、コ字状の切れ目ｓを始点としてコ字状の切り裂き目ｔが形成されている。
【００２３】
また、正面側折り返し部６および背面側折り返し部１２には、各支持穴７ａ，１１ａ内に突出する緩衝片６１，１２１がそれぞれ延設されており、これらの緩衝片６１，１２１を除いて正面側折り返し部６と正面側支持部７との折り目ｅおよび背面側折り返し部１２と背面側支持部１１との折り目ｊが形成されている。
【００２４】
なお、背面部３には、背面側折り返し部１２を貼着する際、その下端縁を位置決めするマーキングｘが形成され、また、底面部４にも、糊代９を貼着する際、その正面側隔壁部８との折り目ｇおよび背面側隔壁部１０との折り目ｈを位置決めするためのマーキングｘ１が形成されている。
【００２５】
ここで、正面側支持部７の幅（正面側折り返し部６との折り目ｅおよび正面側隔壁部８との折り目ｆの間隔）は、底面部４の幅（背面部３との折り目ｂおよび正面部５との折り目ｃの間隔）の１／２よりも若干小さく設定され、同様に、背面側支持部１１の幅（背面側隔壁部１０との折り目ｉおよび背面側折り返し部１２との折り目ｊの間隔）は、底面部４の幅（折り目ｂ，ｃの間隔）の１／２よりも若干小さく設定されている。つまり、後述するように、底面部４に対して背面部３および正面部５を立ち上げた際に、正面側支持部７の、正面側隔壁部８との折り目ｆとなる先端縁と、背面側支持部１１の、背面側隔壁部１０との折り目ｉとなる先端縁との間に一定の隙間が形成されるようになっている。
【００２６】
また、正面側折り返し部６の幅（正面部５との折り目ｄおよび正面側支持部７との折り目ｅの間隔）および正面側隔壁部８の幅（正面側支持部７との折り目ｆおよび糊代９との折り目ｇの間隔）の和は、正面部５の幅（底面部４との折り目ｃおよび正面側折り返し部６との折り目ｄの間隔）よりもわずかに大きく設定されている。すなわち、正面部５に正面側折り返し部６を貼着した際、正面側隔壁部８は、正面側支持部７との折り目ｆおよび糊代９との折り目ｇを結んで正面側支持部７に対して鋭角をなして傾斜するようになっている。
【００２７】
同様に、背面側折り返し部１２の幅（背面側支持部１１との折り目ｊおよびその下端縁の間隔）および背面側隔壁部１０の幅（糊代９との折り目ｈおよび背面側支持部１１との折り目ｉの間隔）の和は、背面部３の、底面部４との折り目ｂおよびそのマーキングｘの間隔よりもわずかに大きく設定されている。すなわち、背面部３に背面側折り返し部１２を、その先端縁をマーキングｘに位置決めして貼着した際、背面側隔壁部１０は、背面側支持部１１との折り目ｉおよび糊代９との折り目ｈを結んで背面側支持部１１に対して鋭角をなして傾斜するようになっている。
【００２８】
次に、このように構成された包装容器１の組立要領について説明する。
【００２９】
まず、図３の展開図にしたがってコートボールを打ち抜くとともに、裏面が上面を向くように反転させ（図４参照）、正面側折り返し部６、糊代９、背面側折り返し部１２の裏面にそれぞれ接着剤を塗布した後、正面部５に対して正面側折り返し部６を正面側支持部７、正面側隔壁部８、糊代９、背面側隔壁部１０、背面側支持部１１および背面側折り返し部１２とともに折り目ｄに沿って谷折りし、正面側折り返し部６を正面部５に、糊代９を底面部４に、背面側折り返し部１２を背面部３にそれぞれ貼着する。この際、背面側折り返し部１２の先端縁を背面部３に形成されたマーキングｘに沿わせるとともに、糊代９の上下の折り目ｇ，ｈを底面部４に形成されたマーキングｘ１，ｘ１に沿わせて位置決めする。
【００３０】
これにより、背面部３および底面部４にわたって背面側支持部１１および背面側隔壁部１０がそれらの折り目ｉを頂点とする鋭角三角形を形成し、また、底面部４および正面部５にわたって正面側隔壁部８および正面側支持部７がそれらの折り目ｆを頂点とする鋭角三角形を形成する（図５参照）。また、正面側折り返し部６に形成された切れ目ｓによって区画された部分が切り離されて正面部５に延設され、後述する封緘片５１が形成される。
【００３１】
次いで、底面部４に対して背面部３を、上面部２および差し込みフラップ１３とともに折り目ｂに沿って谷折りし、立ち上げる。同様に、底面部４に対して正面部５を折り目ｃに沿って谷折りし、立ち上げる。さらに、底面部４に対して左右のガイド片１７を折り目ｑに沿ってそれぞれ谷折りし、立ち上げる（図６参照）。これにより、背面部３に貼着された背面側折り返し部１２に連設された背面側支持部１１が水平に延設される一方、背面側支持部１１および糊代９にそれぞれ連設された背面側隔壁部１０が背面側支持部１１に対して鋭角をなして延設される。同様に、正面部５に貼着された正面側折り返し部６に連設された正面側支持部７が水平に延設される一方、正面側支持部７および糊代９にそれぞれ連設された正面側隔壁部８が正面側支持部７に対して鋭角をなして延設される。
【００３２】
その後、左右の側部糊代１６の表面にそれぞれ接着剤を塗布した後、左右の側部糊代１６を正面部５に対してそれぞれ折り目ｐに沿って谷折りするとともに、左右の側部１５を背面部３に対してそれぞれ折り目ｎに沿って谷折りし、側部糊代１６に貼着すれば（図７参照）、背面部３、底面部４、正面部５および左右の側部１５によって上方が開口された直方体状の包装容器１が組み立てられる（図８参照）。これにより、包装容器１の内部には、背面側支持部１１および正面側支持部７が水平に延設されるとともに、背面側支持部１１に対して鋭角をなして背面側隔壁部１０が、正面側支持部７に対して鋭角をなして正面側隔壁部８がそれぞれ延設される。
【００３３】
このように、包装容器１が組み立てられたならば、バイアル瓶Ｂを把持し、包装容器１の上方開口部を通して背面側支持部１１の各支持穴１１ａおよび正面側支持部７の各支持穴７ａに挿入するとともに、背面側支持部１１の端縁および正面側支持部７の端縁間に形成された隙間を通して添付文書Ｄを挿入する。
【００３４】
この際、各支持穴１１ａ，７ａにそれぞれ挿入されたバイアル瓶Ｂは、各支持穴１１ａ，７ａに対応する保持穴１０ａ，８ａに挿入され、その外周面が保持穴１０ａ，８ａにおける略半楕円状の側端縁によって挾持されるとともに、その底面が支持片１８を折り目ｒに沿って折り曲げて保持穴１０ａ，８ａの底端縁によって支持される。すなわち、バイアル瓶Ｂは、底面部４から離隔して、かつ、支持片１８によって緩衝状態で支持される。さらに、バイアル瓶Ｂの胴部のうち、保持穴１０ａ，８ａに挾持された外周面と直交する外周面は、背面部３および背面側折り返し部１２の緩衝片１２１の二重壁によって、また、正面部５および正面側折り返し部６の緩衝片６１の二重壁によって緩衝状態で支持されるとともに、添付文書Ｄによって緩衝状態で支持される。
【００３５】
このように、各支持穴１１ａ，７ａに挿入されたバイアル瓶Ｂの胴部は、支持穴１１ａ，７ａおよび保持穴１０ａ，８ａによって移動することなく浮動状態で支持されとともに、添付文書Ｄおよび二重壁によって緩衝状態で支持される。
【００３６】
設定個数のバイアル瓶Ｂを収納したならば、上面部２に対して差し込みフラップ１３を折り目ｋに沿って谷折りするとともに、上面部２を背面部３に対して折り目ａに沿って谷折りし、差し込みフラップ１３を正面側折り返し部６に沿うように差し込む。次いで、封緘片５１の裏面に接着剤を塗布した後、折り目ｄに沿って谷折りし、上面部８に貼着すれば、包装容器１を形成することができる。
【００３７】
このようにして、例えば、１０本のバイアル瓶Ｂは、包装容器１に外部に露出することなく収納され、ユーザーに輸送される。
【００３８】
この際、落下などによって底面部５に衝撃力が作用したとしても、バイアル瓶Ｂは、底面部５に対して浮動状態で支持されているため、バイアル瓶Ｂに作用する衝撃力を隔壁部１０，８の保持穴１０ａ，８ａの底端縁および支持片１８によって緩衝することができ、バイアル瓶Ｂの破損を確実に防止することができる。また、輸送に際して隣接する包装容器１などによって背面部３あるいは正面部５に慣性力が作用したとしても、背面部３および背面側折り返し部１２の緩衝片１２１の二重壁および添付文書Ｄによって、あるいは、正面部５および正面側折り返し部６の緩衝片６１の二重壁および添付文書Ｄによって緩衝することができ、バイアル瓶Ｂの破損を可及的に防止することができる。さらに、輸送に際して包装容器１の左右の側面部１５に慣性力が作用したとしても、バイアル瓶Ｂは、支持穴１１ａ，７ａの周縁および保持穴１０ａ，８ａの側端縁によって移動することなく保持されるため、隣接するバイアル瓶Ｂが衝突して破損することを確実に防止することができる。
【００３９】
一方、包装容器１内に収納されたバイアル瓶Ｂを取り出す場合は、切り裂き目ｔによって区画された部分を押圧して切り離し、差し込みフラップ１３とともに上面部２を持ち上げれば、各バイアル瓶Ｂが露出することから、バイアル瓶Ｂを摘んで上方に引き上げることにより取り出すことができる。
【図面の簡単な説明】
【００４０】
【図１】本発明のバイアル瓶などの包装容器の一実施形態を一部省略して示す斜視図である。
【図２】図１の包装容器を模式的に示す縦端面図である。
【図３】図１の包装容器の展開図である。
【図４】図１の包装容器の組立要領を説明する工程図である。
【図５】図１の包装容器の組立要領を説明する工程図である。
【図６】図１の包装容器の組立要領を説明する工程図である。
【図７】図１の包装容器の開封要領を説明する斜視図である。
【図８】図１の包装容器の組立要領を説明する工程図である。
【図９】図１の包装容器の組立要領を説明する工程図である。
【符号の説明】
【００４１】
１  包装容器
２  上面部
３  背面部
４  底面部
５  正面部
６  正面側折り返し部
７  正面側支持部
８  正面側隔壁部
９  糊代
１０  背面側隔壁部
１１  背面側支持部
１２  背面側折り返し部
７ａ，１１ａ  支持穴
８ａ，１０ａ  保持穴
１０側面部
１３  差し込みフラップ
１５  側面部
１６  側部糊代
１８  支持片
５１  封緘片
６１，１２１  緩衝片
ａ，ｂ，ｃ，ｄ，ｅ，ｆ，ｇ，ｈ，ｉ，ｊ，ｋ，ｍ，ｎ，ｐ，ｑ，ｒ  折り目
ｓ  切れ目
ｔ  切り裂き目
Ｂバイアル瓶
【図１】
0004868457.tif 000002
【図２】
0004868457.tif 000003
【図３】
0004868457.tif 000004
【図４】
0004868457.tif 000005
【図５】
0004868457.tif 000006
【図６】
0004868457.tif 000007
【図７】
0004868457.tif 000008
【図８】
0004868457.tif 000009
【図９】
0004868457.tif 000010